(57)【要約】【課題】表示領域が広くて非表示領域が狭い表示体を提供する。また、複数の表示体を横に並べて全体で１つの表示を行うことに適した表示体および電子棚札付き棚を提供する。さらには、これらの表示体および電子棚札付き棚の製造方法を提供する。【解決手段】表示体は、基体と、基体を覆うカバーとを有する筐体と、基体とカバーとの間に挟まれ、表示エリアを有するフレキシブルな表示部品とを備え、表示部品の横幅と表示エリアの横幅とが略等しく、基体とカバーと表示部品のそれぞれの横幅が略等しいことを特徴とする。【選択図】図１
2019162230.tif 000002
【特許請求の範囲】
【請求項１】
表示体であって、
基体と、前記基体を覆うカバーとを有する筐体と、
前記基体と前記カバーとの間に挟まれ、表示エリアを有するフレキシブルな表示部品とを備え、
前記表示部品の横幅と前記表示エリアの横幅とが略等しく、
前記基体と前記カバーと前記表示部品のそれぞれの横幅が略等しいことを特徴とする、表示体。
【請求項２】
前記表示体が、棚板に固定される電子棚札であって、
前記表示部品の前記表示エリアを前記棚板の前方に向けて固定する固定構造を備えることを特徴とする、請求項１に記載の表示体。
【請求項３】
前記基体が、上面部と、前記上面部と対向する底面部と、前記上面部及び前記底面部の一辺を接続する前面部とを有し、
前記固定構造は、前記上面部の下側及び前記底面部の上側に、前記棚板の前面の上端及び下端に係合可能な突起を有することを特徴とする、請求項２に記載の表示体。
【請求項４】
前記表示部品の前記表示エリアを除く領域は、非表示エリアであり、
前記表示エリアは長方形であり、
前記非表示エリアは、前記表示エリアの周囲を略一定幅で囲む額縁領域と、前記額縁領域の下端縁の一部から下方に延びる配線領域とからなり、
前記基体の前記表示部品に接する面と、前記カバーの前記フレキシブルな表示部品に接する面とが、曲面を有し、
前記曲面に沿って、少なくとも前記表示部品の前記配線領域が前記基体の前面から底面に向かって曲げられていることを特徴とする、請求項１〜３のいずれか１項に記載の表示体。
【請求項５】
前記基体の前記表示部品に接する面と、前記カバーの前記表示部品に接する面とが、前記表示部品の前記表示エリアを凸面状または凹面状に保つための曲面を含むことを特徴とする、請求項１〜４のいずれか１項に記載の表示体。
【請求項６】
前記カバーがリジッドな樹脂からなり、
前記基体の前記表示部品に接する面が全体として凸面状であり、
前記カバーの前記表示部品に接する面が全体として凹面状であり、
前記カバーの上端部及び下端部に、前記基体の上面部及び底面部と係合可能な突起を有することを特徴とする請求項１〜５のいずれか１項に記載の表示体。
【請求項７】
前記カバーの上端部が前記基体の上部に、溶着または固定部材により固定され、
前記カバーの下端部が前記基体の下部に、溶着または固定部材により固定されていることを特徴とする、請求項１〜５のいずれか１項に記載の表示体。
【請求項８】
前記カバーがフレキシブルな樹脂フィルムからなり、
前記基体の前記表示部品の前記表示エリアに接する部分が平面状または凸面状であり、
前記カバーの前記表示部品の前記表示エリアに接する部分が平面状または凹面状であることを特徴とする、請求項１〜５及び７のいずれか１項に記載の表示体。
【請求項９】
前記カバーにおいて、前記表示部品の前記表示エリアに接する部分が透明であり、
前記表示部品の前記表示エリアの周囲を略一定幅で囲む額縁領域に接する部分が不透明であることを特徴とする、請求項１〜８のいずれか１項に記載の表示体。
【請求項１０】
前記カバーの前記表示エリアに接する透明領域が反射防止機能を有することを特徴とする、請求項９に記載の表示体。
【請求項１１】
前記カバーの前記表示エリアに接する透明領域が紫外線吸収機能を有することを特徴とする、請求項９または１０に記載の表示体。
【請求項１２】
前記表示部品の前記表示エリアが紫外線吸収機能を有しないことを特徴とする、請求項１１に記載の表示体。
【請求項１３】
前記基体の前記表示部品に接する面または前記カバーの前記表示部品に接する面に、前記表示部品を位置決めするための位置決め部を有することを特徴とする、請求項１〜１２のいずれか１項に記載の表示体。
【請求項１４】
前記表示部品の前記表示エリアの周囲を略一定幅で囲む額縁領域の上端縁と、
前記額縁領域の下端縁のうち、前記額縁領域の下端縁の一部から下方に延びる配線領域と接続する部分を除く部分と、
前記配線領域の延設方向と直交する方向の端部とが、前記位置決め部の周縁に接することで、前記表示部品の位置決めがなされることを特徴とする請求項１３に記載の表示体。
【請求項１５】
駆動回路が接続された請求項１〜１４に記載の表示体が棚板の前面に配置された電子棚札付き棚。
【請求項１６】
複数個の表示体が、前記棚板の前面に互いの側面を接して配置された請求項１５に記載の電子棚札付き棚。
【請求項１７】
前記駆動回路が、前記棚板の側面に固定され、かつ、前記棚板の底面に配置された配線を介して各前記表示体に接続されている、請求項１６に記載の電子棚札付き棚。
【請求項１８】
基体と、前記基体を覆うカバーとを有する筐体と、前記基体と前記カバーとの間に挟まれ、表示エリアを有するフレキシブルな表示部品とを備えた表示体の製造方法であって、
前記表示部品を、前記表示部品と同幅の基体と、前記表示部品と同幅のカバーとの間に挟む工程と、
前記カバーの上端部を前記基体の上面部に固定する工程と、
前記カバーの下端部を前記基体の底面部に固定する工程と、をこの順で有し、
前記表示部品の横幅と前記表示エリアの横幅とが略等しいことを特徴とする、表示体の製造方法。
【請求項１９】
基体と、前記基体を覆うカバーとを有する筐体と、前記基体と前記カバーとの間に挟まれ、表示エリアを有するフレキシブルな表示部品とを備えた表示体の製造方法であって、
前記カバーの上端部を、前記カバーと同幅の前記基体の上面部に固定する工程と、
前記カバーおよび前記基体と同幅の、前記表示部品を前記基体と前記カバーとの間に挟む工程と、
前記カバーの下端部を前記基体の底面部に固定する工程と、をこの順で有し、
前記表示部品の横幅と前記表示エリアの横幅とが略等しいことを特徴とする、表示体の製造方法。
【請求項２０】
前記基体と前記カバーとの間に前記表示部品を挟む工程が、
前記基体または前記カバーのうちの一方の前記表示部品に接する面に設けられた前記表示部品を位置決めするための位置決め部に沿って、前記表示部品を組み付ける工程と、
前記表示部品が組み付けられた前記基体または前記カバーの一方に、前記カバーまたは前記基体のうちの他方を重ねる工程と、を含むことを特徴とする請求項１８または請求項１９に記載の表示体の製造方法。
【請求項２１】
前記カバーの上端部を前記基体の上面部に固定する工程が、レーザによる溶着、接着剤による固定、またはネジによる固定であることを特徴とする請求項１８〜２０のいずれか１項に記載の表示体の製造方法。
【請求項２２】
前記カバーの下端部を前記基体の底面部に固定する工程が、レーザによる溶着、接着剤による固定、またはネジによる固定であることを特徴とする請求項１８〜２１のいずれかに記載の表示体の製造方法。
【請求項２３】
請求項１〜１４のいずれか１項に記載の表示体を、棚板の前面に互いの側面を接して複数配置する工程と、
各々の前記表示体に、駆動回路からの配線を接続する工程と、を有する、電子棚札付き棚の製造方法。
【発明の詳細な説明】
【技術分野】
【０００１】
本発明は、表示体に関する。また、この表示体を用いた電子棚札付き棚に関する。さらに、これらの製造方法に関する。
【背景技術】
【０００２】
従来、液晶ディスプレイ（ＬＣＤ）や電子ペーパーを用いた表示体が提供されている。図２１は従来の表示体２０の一例を示す図である。図示のように、従来の液晶ディスプレイや電子ペーパーなどの表示部品は、上下左右を囲った堅牢な筐体２０Ｂ内に組み込まれることが多い。表示部品を筐体２０Ｂに組み込む第１の目的は、表示体２０を所定の位置に正確に設置することであり、第２の目的は、見せたくない部分を覆って外観を良くすることであり、第３の目的は、水やほこり等の外乱から表示部品を保護することである。
【０００３】
ここで、図２１に示す表示体２０における表示領域２０Ａの周囲を囲む非表示領域２０Ｃを、「額縁」と呼ぶ。図２１に示すように、上下左右を囲った堅牢な筐体２０Ｂに表示部品を組み込んだ表示体２０を複数個、横に並べると、左の表示体２０の表示領域２０Ａと右の表示体２０の表示領域２０Ａとの間に左の表示体２０の右額縁２０ＣＲと右の表示体２０の左額縁２０ＣＬが並ぶことになる。その結果、２つの表示領域２０Ａ間の非表示領域２０ＣＲ及び２０ＣＬが大きくなることで、複数の表示体２０の全体で１つの画像を表示しようとすると、当該画像は間が開いた見苦しい表示になってしまう。
【先行技術文献】
【特許文献】
【０００４】
【特許文献１】特開２００１−１７８５９９号公報
【発明の概要】
【発明が解決しようとする課題】
【０００５】
本発明は、表示領域が広くて非表示領域が狭い表示体を提供する。また、複数の表示体を横に並べて全体で１つの表示を行うことに適した表示体およびこれを用いた電子棚札付き棚を提供する。さらには、表示体およびこれを用いた電子棚札付き棚の製造方法を提供する。
【課題を解決するための手段】
【０００６】
上述の目的を達成するため、本発明は、表示体であって、基体と、基体を覆うカバーとを有する筐体と、基体とカバーとの間に挟まれ、表示エリアを有するフレキシブルな表示部品とを備え、表示部品の横幅と表示エリアの横幅とが略等しく、基体とカバーと表示部品のそれぞれの横幅が略等しいことを特徴とする表示体である。
【０００７】
また、表示体が、棚板に固定される電子棚札であって、表示部品の表示エリアを棚板の前方に向けて固定する固定構造を備えていてもよい。
【０００８】
また、基体が、上面部と、上面部と対向する底面部と、上面部及び底面部の一辺を接続する前面部とを有し、固定構造は、上面部の下側及び底面部の上側に、棚板の前面の上端と下端に係合可能な突起を有していてもよい。
【０００９】
また、表示部品の表示エリアを除く領域は、非表示エリアであり、表示エリアは長方形であり、非表示エリアは、表示エリアの周囲を略一定幅で囲む額縁領域と、額縁領域の下端縁の一部から下方に延びる配線領域とからなり、基体の表示部品に接する面と、カバーの表示部品に接する面とが、曲面を有し、曲面に沿って、少なくとも表示部品の配線領域が基体の前面から底面に向かって曲げられていてもよい。
【００１０】
また、基体の表示部品に接する面と、カバーの表示部品に接する面とが、表示部品の表示エリアを凸面状または凹面状に保つための曲面を含んでいてもよい。
【００１１】
また、カバーがリジッドな樹脂からなり、基体の表示部品に接する面が全体として凸面状であり、カバーの表示部品に接する面が全体として凹面状であり、カバーの上端部及び下端部に、基体の上面部及び底面部と係合可能な突起を有していてもよい。
【００１２】
また、カバーの上端部が基体の上部に、溶着または固定部材により固定され、カバーの下端部が基体の下部に、溶着または固定部材により固定されていてもよい。
【００１３】
また、カバーがフレキシブルな樹脂フィルムからなり、基体の表示部品の表示エリアに接する部分が平面状または凸面状であり、カバーの表示部品の表示エリアに接する部分が平面状または凹面状であってもよい。
【００１４】
また、カバーにおいて、表示部品の表示エリアに接する部分が透明であり、表示部品の表示エリアの周囲を略一定幅で囲む額縁領域に接する部分が不透明であってもよい。
【００１５】
また、カバーの表示エリアに接する透明領域が反射防止機能を有していてもよい。
【００１６】
また、カバーの表示エリアに接する透明領域が紫外線吸収機能を有していてもよい。
【００１７】
また、表示部品の表示エリアが紫外線吸収機能を有していなくてもよい。
【００１８】
また、基体の表示部品に接する面またはカバーの表示部品に接する面に、表示部品を位置決めするための位置決め部を有していてもよい。
【００１９】
また、表示部品の表示エリアの周囲を略一定幅で囲む額縁領域の上端縁と、額縁領域の下端縁のうち、額縁領域の下端縁の一部から下方に延びる配線領域と接続する部分を除く部分と、配線領域の延設方向と直交する方向の端部とが、位置決め部の周縁に接することで、表示部品の位置決めがなされてもよい。
【００２０】
また、本発明は、駆動回路が接続された上記表示体が棚板の前面に配置された電子棚札付き棚である。
【００２１】
また、複数個の表示体が、棚板の前面に互いの側面を接して配置されていてもよい。
【００２２】
また、駆動回路が、棚板の側面に固定され、かつ、棚板の底面に配置された配線を介して各表示体に接続されていてもよい。
【００２３】
また、本発明は、基体と、基体を覆うカバーとを有する筐体と、基体とカバーとの間に挟まれ、表示エリアを有するフレキシブルな表示部品とを備えた表示体の製造方法であって、表示部品を、表示部品と同幅の基体と、表示部品と同幅のカバーとの間に挟む工程と、カバーの上端部を基体の上面部に固定する工程と、カバーの下端部を基体の底面部に固定する工程と、をこの順で有し、表示部品の横幅と表示エリアの横幅とが略等しいことを特徴とする、表示体の製造方法である。
【００２４】
また、本発明は、基体と、基体を覆うカバーとを有する筐体と、基体とカバーとの間に挟まれ、表示エリアを有するフレキシブルな表示部品とを備えた表示体の製造方法であって、カバーの上端部を、カバーと同幅の基体の上面部に固定する工程と、カバーおよび基体と同幅の、表示部品を基体とカバーとの間に挟む工程と、カバーの下端部を基体の底面部に固定する工程と、をこの順で有し、表示部品の横幅と表示エリアの横幅とが略等しいことを特徴とする、表示体の製造方法である。
【００２５】
また、基体とカバーとの間に表示部品を挟む工程が、基体またはカバーのうちの一方の表示部品に接する面に設けられた表示部品を位置決めするための位置決め部に沿って、表示部品を組み付ける工程と、表示部品が組み付けられた基体またはカバーの一方に、カバーまたは基体のうちの他方を重ねる工程と、を含んでいてもよい。
【００２６】
また、カバーの上端部を基体の上面部に固定する工程が、レーザによる溶着、接着剤による固定、またはネジによる固定であってもよい。
【００２７】
また、カバーの下端部を基体の底面部に固定する工程が、レーザによる溶着、接着剤よる固定、またはネジによる固定であってもよい。
【００２８】
また、本発明は、上記表示体を、棚板の前面に互いの側面を接して複数配置する工程と、各々の表示体に、駆動回路からの配線を接続する工程と、を有する、電子棚札付き棚の製造方法である。
【発明の効果】
【００２９】
本発明の表示体によれば、表示領域が広くて非表示領域が狭い表示体を実現でき、かつ、表示体を棚板の前面に固定した場合に、表示領域の左側及び右側の非表示領域の幅を最小限に抑え、表示部品の額縁を狭くすることで外観を良くすることができる。また、本発明の電子棚札付き棚では、複数の表示体を並べた場合に全体として１つの画像を良好に表示することができる。
【００３０】
また、本発明の表示体の製造方法によれば、表示領域の左側及び右側の非表示領域の幅を最小限に抑えた表示体を容易に製造できる。また、本発明の電子棚札付き棚の製造方法では、複数の表示体を棚板の前面に並べた場合に全体として１つの画像を良好に表示できる電子棚札付き棚を、容易に製造できる。
【図面の簡単な説明】
【００３１】
【図１】第１の実施形態による表示体を示す部品分解図（ａ）、および最終組立図（ｂ）である。
【図２】第１の実施形態に用いる表示部品の一例を示す組立途中図（ａ）、および最終組立図（ｂ）である。
【図３】第１の実施形態による表示体を棚板に取付ける方法を示す斜視図（ａ）、（ｂ）である。
【図４】第１の実施形態による表示体を棚板に取付ける方法を示す斜視図（ａ）、（ｂ）、（ｃ）である。
【図５】第１の実施形態による表示体を示す最終組立図（ａ）、（ｂ）である。
【図６】第１の実施形態に用いる表示部品の一例を示す組立図である。
【図７】第２の実施形態による表示体を示す組立途中図（ａ）、および最終組立図（ｂ）である。
【図８】第２の実施形態による表示体を示す組立途中図（ａ）、および最終組立図（ｂ）である。
【図９】第２の実施形態による表示体を示す組立途中図（ａ）〜（ｃ）、および最終組立図（ｄ）である。
【図１０】第２の実施形態によるカバーおよび表示部品を示す斜視図（ａ）、（ｂ）である。
【図１１】第２の実施形態によるカバーおよび表示部品を示す斜視図（ａ）、（ｂ）である。
【図１２】第２の実施形態によるカバー、表示部品の斜視図（ａ）、（ｂ）、および表示部品の構成を示す組立図（ｃ）である。
【図１３】第２の実施形態に用いるカバーの一例を示す斜視図である。
【図１４】第２の実施形態による表示体の製造方法の一部を示す説明図（ａ）、（ｂ）、（ｃ）である。
【図１５】第３の実施形態によるカバー・表示部品一体構造の組立途中図（ａ）、および最終組立図（ｂ）である。
【図１６】第３の実施形態による表示体を示す組立途中図（ａ）、および最終組立図（ｂ）である。
【図１７】第４の実施形態による表示体を示す組立図である。
【図１８】第４の実施形態による表示体を示す組立図である。
【図１９】第４の実施形態に用いる表示部品の組み付け部を示す上面斜視図である。
【図２０】第５の実施形態による電子棚札付き棚を示す斜視図である。
【図２１】従来の表示パネルの一例を示す斜視図である。
【発明を実施するための形態】
【００３２】
［第１の実施形態］
本発明の第１の実施形態は、筐体４０とフレキシブルな表示部品３を組み合わせた表示体４であって、基体１と基体１を覆うカバー２とを有する筐体４０と、基体１とカバー２との間に挟まれ、表示エリア３Ａを有するフレキシブルな表示部品３とを備える。本実施形態に係る表示体４は、フレキシブルな表示部品３の横幅と表示エリア３Ａの横幅とが略等しく、基体１とカバー２と表示部品３のそれぞれの横幅が略等しいことを特徴とする。以下、図１〜図６を参照しながら第１の実施形態に係る表示体４を説明する。
【００３３】
図１は第１の実施形態による表示体４の構成を示す図であり、図１（ａ）は部品分解図、図１（ｂ）は最終組立図である。図１（ａ）に示すように、第１の実施形態に係る表示体４に用いる基体１及びカバー２の横幅は、フレキシブルな表示部品３の横幅と略等しい。
【００３４】
ここでフレキシブルな表示部品３は、電気泳動方式や液晶方式の表示を、フレキシブル基材上に作製することで実現したものである。フレキシブルな表示部品３は、例えば図２のように、画素電極を有する背面板３１と、対向電極を有する対向基板３３との間に、表示媒体３２を挟むとともに、それらを保護するために背面板３１及び対向基板３３上に表バリアフィルム３４及び裏バリアフィルム３５を積層した積層体であり、対向基板３３／表示媒体３２／背面板３１の積層体の周縁部であって表バリアフィルム３４と裏バリアフィルム３５に挟まれた空間をエッジシール３６で封止した構造になっている。電気泳動方式の場合、表示媒体３２は、電気泳動粒子を分散媒に分散したものであり、表示媒体３２として、電気泳動粒子をマイクロカプセルやマイクロカップに封入したものが好適に用いられる。液晶方式の場合、表示媒体３２は液晶であり、ポリマー分散液晶が好適に用いられる。表示領域が広く非表示領域が狭くなるよう、積層体の周縁部のエッジシール３６の幅は極力小さくされている。表バリアフィルム３４、裏バリアフィルム３５、エッジシール３６は、外部からのガス（特に水蒸気）の侵入を防止するものである。裏バリアフィルム３５は、遮光性であることが望ましい。
【００３５】
さらに具体的には、図１（ａ）に示すように、表示部品３は表示エリア３Ａと非表示エリア３Ｂとを有し、表示エリア３Ａは長方形であり、特に横長の長方形であることが望ましい。非表示エリア３Ｂは、表示エリア３Ａの周囲を略一定間隔で囲む額縁領域３Ｃと、額縁領域３Ｃの下端縁の一部から下方に延びる配線領域３Ｄとからなる。配線領域３Ｄは、背面板３１の配線領域、フレキシブルＩＣ（ＴＣＰ：テープキャリアパッケージまたはＣＯＦ：チップオンフィルム）、ＦＰＣ（フレキシブルプリント基板）およびコネクタを含んでもよい。
【００３６】
また、表示部品３の横幅と表示エリア３Ａの横幅とは、略等しい。ここで、表示部品３の横幅と表示エリア３Ａの横幅とが略等しいとは、図１（ａ）に示す左額縁３ＣＬの幅及び右額縁３ＣＲの幅が、それぞれ、０．１ｍｍ以上６ｍｍ以下であること、または、図１（ａ）に示す左額縁３ＣＬの幅及び右額縁３ＣＲの幅が、それぞれ、表示部品３の幅全体の０．０３％以上２％以下であることを意味する。
【００３７】
基体１及びカバー２の横幅がフレキシブルな表示部品３の横幅と略等しいことにより、図１（ｂ）に示す表示体４の横幅は表示部品３の横幅と略同じである。表示部品３の横幅と表示エリア３Ａの横幅とが略等しく、かつ、基体１とカバー２と表示部品３のそれぞれの横幅が略等しいため、表示体４は、筐体４０を有するにもかかわらず左右の額縁幅の増加を抑制するという利点を有する。
【００３８】
また、図１の基体１は、棚板８に固定される構造を有している。この固定構造は、表示部品３の表示エリア３Ａを棚板８の前方に向けて固定するための構造である。図１（ａ）に示すように、基体１は、上面部１Ｅと、上面部１Ｅと対向する底面部１Ｃと、上面部１Ｅ及び底面部１Ｃの一辺を接続する前面部１Ｆとを有する。上記固定構造は、上面部１Ｅの下側及び底面部１Ｃの上側に形成された、図３に示す棚板８の前面の上端に係合可能な突起（上）１Ａと、棚板８の前面の下端に係合可能な突起（下）１Ｂとからなる。これらの突起（上）１Ａ及び突起（下）１Ｂを棚板８の前面の上端及び下端に係合させることによって、基体１を棚板８に固定できる。例えば図３（ａ）のように、棚板８の横からスライドさせて取り付けることもできるし、図４（ａ）及び（ｂ）のように、棚板８の前面の上端にまず突起（上）１Ａを掛け、次に棚板８の前面の下端に突起（下）１Ｂを掛けることで取り付けることもできる。これらの突起（上）１Ａ及び突起（下）１Ｂにより、表示体４の棚板８への取付が容易になる。また、図１の基体１は棚板８の底面と平行に延びる底面部１Ｃを有する。図３（ｂ）及び図４（ｃ）に示すように、この底面部１Ｃにおいて、棚板８の底面に表示体４をネジ留めすることもできる。この底面部１Ｃにネジ留めすることにより、表示体４の棚板８への取付が確実になる。
【００３９】
また、以下の説明において、図１の基体１のうちフレキシブルな表示部品３を挟んでカバー２と対向する面を「基体１の表面」と呼び、カバー２のうちフレキシブルな表示部品３を挟んで基体１と対向する面を「カバー２の裏面」と呼ぶ。図１（ｂ）に示すように、「基体１の表面」及び「カバー２の裏面」は、フレキシブルな表示部品３の配線領域３Ｄを表示体４の表示面から棚板８の底面と平行な面に向けて、つまり配線領域３Ｄを基体１の前面から底面に向かって曲げるための曲面を含んでいる。即ち、基体１及びカバー２におけるフレキシブルな表示部品３の配線領域３Ｄと接する部分において、「基体１の表面」が凸面を含み、「カバー２の裏面」が凹面を含む。フレキシブルな表示部品３の配線領域３Ｄは、基体１及びカバー２に挟まれることによって、表示面から棚板８の底面と平行な面にむけて曲げられる。この構成により、フレキシブルな表示部品３の配線領域３Ｄを棚板８の正面からの視界から外して棚板８の底面へと確実に導くことができる。
【００４０】
図１（ｂ）では表示体４の表示面、即ち表示部品３の表示エリア３Ａに該当する部分は平面状であるが、「基体１の表面」のうち表示エリア３Ａと接する部分を凸面にし、「カバー２の裏面」のうち表示エリア３Ａと接する部分を凹面にすることで、図５（ａ）のように表示部品３の表示エリア３Ａを凸面状にすることができる。また、「基体１の表面」のうち表示エリア３Ａと接する部分を凹面にし、「カバー２の裏面」の表示エリア３Ａと接する部分を凸面にすることで、図５（ｂ）のように表示部品３の表示エリア３Ａを凹面状にすることができる。図５（ａ）及び（ｂ）に示される表示体４は、「基体１の表面」と、「カバー２の裏面」とが、フレキシブルな表示部品３の表示エリア３Ａを凸面状または凹面状に保つための曲面を含む。フレキシブルな表示部品３の表示エリア３Ａは、上記構造の基体１及びカバー２に挟まれることによって、凸面状または凹面状に曲げられる。上記構造によって、表示体４の表示面を凸面または凹面に確実に保つことができる。
【００４１】
また、図１（ｂ）並びに図５（ａ）及び（ｂ）に示す表示体４は、カバー２がリジッドな樹脂からなり、「基体１の表面」が全体として凸状であり、「カバー２の裏面」が全体として凹状であり、カバー２の上端部及び下端部に基体１の上端部及び下端部と係合可能な突起２Ａと突起２Ｂを有する。ここで基体１の表面が「全体として凸状」とは、基体１の表面側から見て、基体１の表面の全てが、カバー２の上端部の先端が基体１に係合される位置とカバー２の下端部の先端が基体１に係合される位置とを含む平面よりも手前側（図１の紙面左手前側）にあることを意味する。カバー２の裏面が「全体として凹状」とは、カバー２の裏面側から見て、カバー２の裏面の全てが、カバー２の上端部の先端線とカバー２の下端部の先端線を含む平面よりも奥側（図１の紙面左手前側）にあることを意味する。そして、カバー２の上端部及び下端部の突起２Ａと２Ｂを基体１に係合させることで、図１（ｂ）並びに図５（ａ）及び（ｂ）に示すように、容易にカバー２を基体１に組み付けることができる。なお、カバー２の上端部の突起２Ａは、上端部の横幅方向の全体に形成されていてもよいし、上端部の横幅方向の一部分でもよい。カバー２の下端部の突起２Ｂは、表示部品３の配線領域３Ｄが棚板８の底面と平行に延びるのを妨げないよう、例えばカバー２の下端部の左端部及び右端部にのみに形成される。
【００４２】
また図６のように、「基体１の表面」の一部に両面テープまたは接着剤からなる粘着層６を形成し、基体１とカバー２との間を、両面テープまたは接着剤で固定してもよい。あるいは粘着層６は、「基体１の表面」の一部ではなく、「カバー２の裏面」の一部に形成してもよい。これにより、基体１とカバー２との隙間を塞ぎ、水やほこり等の外乱が筐体４０内部に侵入することを防止できる。さらには、基体１とフレキシブルな表示部品３の間を、両面テープまたは接着剤で固定してもよい。
【００４３】
カバー２は、全体が透明であるか、または、カバー２のうち少なくとも表示部品３の表示エリア３Ａに接する部分は透明である。基体１やリジッドなカバー２としては、ポリエチレンテレフタレート（ＰＥＴ）、ポリカーボネート（ＰＣ）、ポリスチレン（ＰＳ）等の各種樹脂が使用可能である。
【００４４】
［第２の実施形態］
本発明の第２の実施形態も、筐体４０と表示エリア３Ａを有するフレキシブルな表示部品３とを組み合わせた表示体４である。表示部品３は、筐体４０の基体１とカバー２との間に挟まれている。本実施形態に係る表示体４も、表示部品３の横幅と表示エリア３Ａの横幅とが略等しく、かつ、基体１とカバー２と表示部品３のそれぞれの横幅が略等しいことを特徴とする。本実施形態に係る表示体４は、カバー２がフレキシブルな樹脂フィルムである点が、カバー２がリジッドな樹脂部品である第１の実施形態に係る表示体４と異なる。以下、図７〜図１４を参照しながら第２の実施形態に係る表示体４を説明する。
【００４５】
図７及び図８は第２の実施形態による表示体４の構成を示す図であり、図７（ａ）及び図８（ａ）は組立途中図、図７（ｂ）及び図８（ｂ）は最終組立図である。図７（ｂ）に示す表示体４は、表示部品３の表示エリア３Ａが平面状であり、図８（ｂ）に示す表示体４は、表示部品３の表示エリア３Ａが凸面状である。図７（ａ）及び図８（ａ）に示すように、第２の実施形態に係る表示体４に用いる基体１及びカバー２の横幅も、第１の実施形態に係る表示体４と同様に、フレキシブルな表示部品３の横幅と等しい。また、第１の実施形態に係る表示部品３と同様に、表示部品３の横幅と表示エリア３Ａの横幅とが略等しい。
【００４６】
ここで、フレキシブルな表示部品３は、第１の実施形態に示した表示部品３と同じである。また、フレキシブルなカバー２は、全体が透明であるか、または、カバー２のうち少なくとも表示部品３の表示エリア３Ａに接する部分は透明である。フレキシブルなカバー２のうち、表示部品３の表示エリア３Ａに接する部分を透明とし、表示部品３の額縁領域３Ｃに接する部分を不透明としてもよい。基体１及びカバー２の横幅がフレキシブルな表示部品３の横幅と略等しいことにより、図７（ｂ）及び図８（ｂ）に示す表示体４の横幅は表示部品３の横幅と略同じである。また、第１の実施形態に示した表示体４と同様に、表示部品３の横幅と表示エリア３Ａの横幅とが略等しい。そのため、表示体４は、筐体４０を有するにもかかわらず左右の額縁幅の増加を抑制するという利点を有する。基体１を棚板８に固定するための突起（上）１Ａ、突起（下）１Ｂ及び底面部１Ｃを有することも、第１の実施形態に係る表示体４と同じである。
【００４７】
第１の実施形態のカバー２がリジッドな樹脂部品であったのに対し、第２の実施形態のカバー２はフレキシブルな樹脂フィルムである。そして、基体１のうち、フレキシブルな表示部品３を挟んでカバー２と対向する面（基体１の表面）が、平面状または凸面状であり、カバー２のうち、フレキシブルな表示部品３を挟んで基体１と対向する面（カバー２の裏面）が平面状または凹面状である。「基体１の表面」が平面状または凸面状であることにより、フレキシブルなカバー２を引っ張れば、フレキシブルなカバー２は「基体１の表面」に沿って変形し、結果的に「カバー２の裏面」が平面状または凹面状になる。フレキシブルなカバー２を用いることで、リジッドなカバー２よりも安価かつ容易に表示体４が得られる。
【００４８】
「基体１の表面」及び「カバー２の裏面」が、フレキシブルな表示部品３の配線領域３Ｄを表示面から棚板８の底面と平行な面にむけて曲げるための曲面を含むこと（図７（ｂ）及び図８（ｂ））や、「基体１の表面」のうち表示エリア３Ａと接する部分を凸面にし、「カバー２の裏面」のうち表示エリア３Ａと接する部分を凹面にすることで、表示面を凸面状にすることができること（図８（ｂ））も、第１の実施形態に係る表示体４と同じである。
【００４９】
また、図７（ｂ）及び図８（ｂ）に示すように、フレキシブルなカバー２の下端部を基体１の底面部１Ｃに固定する場合、補強部品５を用いてもよい。この場合、補強部材５をフレキシブルなカバー２の下端部に重ね、ネジ１０で基体１に固定することができる。
【００５０】
また、図９のように、「基体１の表面」の一部に両面テープまたは接着剤からなる粘着層６を形成し、基体１とカバー２との間を、両面テープや接着剤で固定してもよい。あるいは粘着層６は、「基体１の表面」の一部ではなく、「カバー２の裏面」の一部に形成してもよい。これにより、基体１とカバー２との隙間を塞ぎ、水やほこり等の外乱が筐体内部に侵入することを防止できる。さらには、基体１とフレキシブルな表示部品３の間を、両面テープや接着剤で固定してもよい。
【００５１】
さて、図１０のように、カバー２のうち、表示部品３の表示エリア３Ａに接する部分２Ｃを透明とし、表示部品３の額縁領域３Ｃに接する部分２Ｄを不透明としてもよい。この場合であっても、表示部品３の横幅と表示エリア３Ａの横幅とが略等しく、かつ、基体１及びカバー２の横幅がフレキシブルな表示部品３の横幅と略等しいため、表示体４は、筐体４０を有するにもかかわらず左右の額縁幅の増加を抑制するという利点を有する。また、表示部品３の配線領域３Ｄに接する部分のうち、配線領域３Ｄを表示面から棚板８の底面と平行な面に向けて曲げるための曲面部分も不透明としてもよい。これにより、配線領域３Ｄなどの見せたくない部分を隠すことができ、外観を良くすることができる。不透明にする方法は、不透明なインクをカバー２の表または裏の不透明にしたい部分に印刷することで実現できる。
【００５２】
また図１１のように、カバー２のうち、少なくとも表示部品３の表示エリア３Ａに接する透明部分２Ｃ１は、反射防止機能を有する透明部分であってもよい。例えば、透明部分２Ｃ１を、ＡＲ（Ａｎｔｉ−Ｒｅｆｌｅｃｔｉｏｎ）フィルム、ＬＲ（Ｌｏｗ−Ｒｅｆｌｅｃｔｉｏｎ）フィルム、またはＡＧ（Ａｎｔｉ−Ｇｌａｒｅ）フィルムとしてもよい。ＡＲフィルムおよびＬＲフィルムは多層膜または単層膜で外光反射を低減するものであり、ＡＧフィルムは表面凹凸によって外光の正反射を低減するものである。また、表示部品３の表示エリア３Ａとカバー２との間を、透明な接着フィルムで接着することで、この部分の空気層による反射を低減してもよい。
【００５３】
また図１２（ａ）のように、フレキシブルなカバー２のうち、少なくとも表示部品３の表示エリア３Ｘに接する透明部分２Ｃ２は、表面にＵＶ（紫外線）吸収層を有する透明部分であってもよい。これにより、カバー２や表示部品３の表示エリア３Ｘにおいて、ＵＶによる劣化を抑制できる。この場合、図１２（ｂ）や図１２（ｃ）に示す表示部品３ＸはＵＶ吸収層を有さなくてもよいため、表バリアフィルム３４ＸはＵＶ吸収層を有さなくてもよい。特に、エッジシール３６がＵＶ硬化型の場合は、表バリアフィルム３４ＸがＵＶ吸収層を持たない方がよい。なぜなら、表バリアフィルム３４ＸがＵＶ吸収層を持たないことで、表示部品３を作製する際にエッジシール３６を少量のＵＶ照射で硬化できるからである。
【００５４】
なお、基体１の上面部１Ｅにフレキシブルなカバー２の上端部を接合する方法には、レーザによる溶着、接着剤による固着、あるいはネジによる固着等がある。また、基体１の底面部１Ｃにフレキシブルなカバー２の下端部を固定する方法には、レーザによる溶着、接着剤による固着、ネジによる固着等がある。基体１の底面部１Ｃにフレキシブルなカバー２の下端部を接着剤で固定する場合には、硬化時間が短い瞬間接着剤が望ましい。ネジ１０を用いて固定する場合には、図７（ｂ）や図８（ｂ）に示す補強部品５をフレキシブルなカバー２上に重ねて固定してもよい。あるいは図１３のような、あらかじめ補強部品５を接合したカバー２を用いてもよい。レーザによる溶着は、図１４のように基体１及びカバー２の樹脂同士をレーザ加熱で溶かして溶着する方法であり、フレキシブルなカバー２の上端部を基体１の上面部１Ｅに接合する場合（図１４（ａ））、フレキシブルなカバー２の下端部を基体１の底面部１Ｃに固定する場合（図１４（ｂ））、補強部品５をフレキシブルなカバー２に接合する場合（図１４（ｃ））等に用いることができる。
【００５５】
基体１や補強部品５としては、ポリエチレンテレフタレート（ＰＥＴ）、ポリカーボネート（ＰＣ）、ポリスチレン（ＰＳ）等の各種樹脂が使用可能であり、フレキシブルなカバー２としてもＰＥＴ、ＰＣ、ＰＳ等のフィルムが使用可能である。レーザにより溶着する場合、基体１や補強部品５に顔料や染料を混ぜて着色しておき、フレキシブルなカバー２の透明な部分を重ねて、フレキシブルなカバー２側からレーザ照射することで、溶着できる。レーザによる溶着は、簡単に高品質の接合ができるという利点がある。補強部品５としては、金属や、金属と樹脂の組合せでもよい。
【００５６】
ここで、「リジッド」なカバー２と「フレキシブル」なカバー２の違いを説明する。本明細書では、「リジッド」という言葉を、カバー２に自重程度の力を加えても変形が無視できるほど小さいという意味で用いており、外力がかかっても全く変形しないわけではない。一方「フレキシブル」という言葉を、カバー２に重力程度の力を加えた場合に容易に変形しうるという意味で用いている。「リジッド」と「フレキシブル」の違いをもたらす最も大きな要因はカバー２の厚さであるが、樹脂自体の性質や製法にも依存する。
【００５７】
なお、第２の実施形態で説明した、カバー２のうち、表示部品３の表示エリア３Ａに接する部分が透明であり、額縁領域３Ｃに接する部分が不透明であること、表示エリア３Ａに接する透明部分が反射防止機能を有すること、表示エリア３Ａに接する透明部分がＵＶ吸収機能を有すること、及び、表示エリア３Ａに接する透明部分がＵＶ吸収機能を有する場合に表バリアフィルム３４ＸがＵＶ吸収機能を持たないこと、を第１の実施形態に係る表示体４に適用してもよい。
【００５８】
［第３の実施形態］
本発明の第３の実施形態は、基体１とフレキシブルなカバー２との間に、フレキシブルな表示部品３をはさんだ構造の表示体４であるが、カバー２及び表示部品３の構成が、第２の実施形態に係る表示体４と異なる。本実施形態に係る表示体４は、フレキシブルな表示部品３として、裏バリアフィルム３５を有し表バリアフィルムを有しない表示部品３Ｙを用い、フレキシブルなカバー２として、水蒸気バリア性を有する表バリアフィルム兼カバー２Ｈを用い、フレキシブルな表示部品３Ｙをフレキシブルなカバー２Ｈに貼り合わせてエッジシール３６を行うことにより、フレキシブルなカバー２Ｈが表示部品３Ｙの表バリアフィルムを兼ねる、カバー・表示部品一体構造７を有する。以下、図１５及び図１６を参照しながら第３の実施形態に係る表示体４を説明する。
【００５９】
図１５（ａ）のように、背面板３１と対向基板３３との間に表示媒体３２を挟んだ対向基板３３／表示媒体３２／背面板３１の積層体と、この積層体よりわずかに大きい裏バリアフィルム３５と、この積層体よりさらに大きい表バリアフィルムを兼ねるカバー２Ｈとを貼り合わせて、図１５（ｂ）のように上記積層体の側面部をエッジシール３６で封止することで、カバー・表示部品一体構造７を得る。
【００６０】
次に、図１６（ａ）のように基体１の上面部にカバー・表示部品一体構造７の上端部を接合し、図１６（ｂ）のように基体１の底面部にカバー・表示部品一体構造７の下端部を固定することで、第３の実施形態に係る表示体４が得られる。第３の実施形態に係る表示体４も、第２の実施形態に係る表示体４と同様に、表示部品３Ｙの横幅と表示エリア３Ａの横幅とが略等しい。表示部品３Ｙの横幅と表示エリア３Ａの横幅とが略等しく、かつ、基体１及びフレキシブルなカバー２Ｈの横幅が表示部品３Ｙの横幅と略等しいため、筐体４０を有するにもかかわらず左右の額縁幅の増加を抑制するという利点を有する。
【００６１】
第２の実施例と同様に、フレキシブルなカバー２Ｈは、全体が透明であってもよいし、フレキシブルなカバー２Ｈのうち、表示部品３Ｙの表示エリア３Ａに接する部分が透明であり、表示部品３Ｙの額縁領域３Ｃに接する部分が不透明であってもよい。また、フレキシブルなカバー２Ｈのうち、少なくとも表示部品３Ｙの表示エリア３Ａに接する透明部分が反射防止機能を有してもよい。また、フレキシブルなカバー２Ｈのうち、少なくとも表示部品３Ｙの表示エリア３Ａに接する透明部分がＵＶ（紫外線）吸収層を有してもよい。
【００６２】
［第４の実施形態］
本発明の第４の実施形態に係る表示体４は、基体１のフレキシブルな表示部品３に接する面またはカバー２のフレキシブルな表示部品３に接する面に、フレキシブルな表示部品３を位置決めするための位置決め部１Ｄまたは２Ｇを有する点が、第１の実施形態に係る表示体４と異なる。以下、図１７〜図１９を参照しながら第４の実施形態に係る表示体４を説明する。
【００６３】
図１７に係る表示体４では、基体１が位置決め部１Ｄを有し、その位置決め部１Ｄに沿ってフレキシブルな表示部品３を組み付け、予め上端部を基体１の上面部１Ｅに接合していたフレキシブルなカバー２を基体１に重ねて、カバー２の下端部を基体１の底面部１Ｃに固定する。これにより、基体１に対するフレキシブルな表示部品３の位置合わせが自動的に行われる。図１８に係る表示体４では、フレキシブルなカバー２が位置決め部２Ｇを有し、その位置決め部２Ｇに沿ってフレキシブルな表示部品３を組み付け、予め上面部１Ｅをカバー２の上端部に接合していた基体１をフレキシブルなカバー２に重ねて、カバー２の下端部を基体１の底面部１Ｃに固定する。これにより、基体１に対するフレキシブルな表示部品３の位置合わせが自動的に行われる。
【００６４】
フレキシブルな表示部品３の、額縁領域３Ｃの上端縁と、額縁領域３Ｃの下端縁のうち配線領域３Ｄと接しない部分を、位置決め部１Ｄまたは２Ｇに沿って組み付けることができる。例えばフレキシブルな表示部品３が図１９の形状なら、フレキシブルな表示部品３の額縁領域３Ｃの上端縁と下端縁のうち配線領域３Ｄと接しない部分とで上下方向の位置決めがなされ、額縁領域３Ｃの下端縁から延びる配線領域３Ｄの左端部及び右端部で左右方向の位置決めがなされる。即ち、図１９の太線で示す部分を位置決め部１Ｄまたは２Ｇに沿って組み付けることで位置決めがなされる。
【００６５】
基体１の位置決め部１Ｄ及びリジッドなカバー２の位置決め部２Ｇは、成形に用いる型の位置決め部１Ｄまたは２Ｇに対応する部分に凹部を設けておけば形成できる。また、基体１の位置決め部１Ｄ及びリジッドなカバー２の位置決め部２Ｇは、基体１またはリジッドなカバー２に凸形状の別フィルムを接合することで形成してもよい。また、フレキシブルなカバー２の位置決め部２Ｇは、フレキシブルなカバー２に凸形状の別フィルムを接合することで作製できる。
【００６６】
［第５の実施形態］
本発明の第５の実施形態は、第１〜第４の実施形態に係る表示体４を図３または図４のように棚板８の前面に取付け、この表示体４に駆動装置９を接続した電子棚札付き棚である。表示体４を棚板８の前面に取付ける際、図３または図４のように、複数の表示体４を互いの側面を接して配置させることで、複数の表示エリア３Ａの間の非表示領域は、例えば図１（ａ）に示す左額縁３ＣＬの幅と右額縁３ＣＲの幅とを合わせた長さだけで済み、複数の表示体４全体として１つの画像を表示するのに適した電子棚札付き棚となる。
【００６７】
図２０のように、駆動装置９は棚板８の側面近傍に設置され、駆動装置９からの配線９Ａは棚板８の底面に設置され、棚板８の底面において表示体４の配線３Ｄと接続されてもよい。駆動装置９からの配線９Ａには、コネクタや、一部の電子回路を含んでもよい。
【実施例１】
【００６８】
次に、具体的な実施例について説明する。
図１（ｂ）に示す表示体４を作製した。使用した表示部品３は、表示エリア３Ａが横２９６ｍｍ×縦２０ｍｍ、左右の額縁領域３ＣＬ及び３ＣＲの幅が各２ｍｍ、表示部品３の横幅が３００ｍｍの電気泳動パネルであった。まず、基体１（着色ＰＥＴ製）と、リジッドなカバー２として透明なカバー（ＰＥＴ製）を、射出成形により作製した。基体１及びリジッドなカバー２の横幅は、使用する表示部品３の横幅と同じ３００ｍｍとした。次に、フレキシブルな表示部品３を両面テープで基体１に固定し、リジッドなカバー２を基体１に被せて固定し、表示体４を得た。
【００６９】
こうして作製した３個の表示体４を、基体１の突起１Ａおよび１Ｂが棚板８の前面の上端及び下端に係合するように、棚板８の横からスライドさせて図３のように取り付けた。そして、図２０に示す配線９Ａを介して３個の表示体４と駆動装置９とを接続した。駆動装置９を動作させて、３個の表示体４に係る３つの表示エリア３Ａを一体とした１枚の画像を表示することができた。
【実施例２】
【００７０】
図８（ｂ）に示す表示体４を作製した。使用した表示部品３は、表示エリア３Ａが横２９６ｍｍ×縦２０ｍｍ、左右の額縁領域３ＣＬ及び３ＣＲの幅が各２ｍｍ、表示部品３の横幅が３００ｍｍの電気泳動パネルであった。まず、基体１（着色ＰＥＴ製）を射出成型により作製した。次に、作製した基体１の上面部１Ｅに、フレキシブルなカバー２として透明なＰＥＴフィルムの上端部を図１４（ａ）のようにレーザ照射により溶着した。基体１とフレキシブルなカバー２の横幅は、使用する表示部品３の横幅と同じ３００ｍｍとした。次に、基体１とフレキシブルなカバー２との間にフレキシブルな表示部品３を挟み、フレキシブルなカバー２上に補強部品５を重ねてネジ１０で基体１に固定し、表示体４を得た。
【００７１】
こうして作製した３個の表示体４を、基体１の突起１Ａおよび１Ｂが棚板８の前面の上端及び下端に係合するように、棚板８の横からスライドさせて図３のように取り付けた。そして、図２０に示す配線９Ａを介して３個の表示体４と駆動装置９とを接続した。駆動装置９を動作させて、３個の表示体４に係る３つの表示エリア３Ａを一体とした１枚の画像を表示することができた。
【実施例３】
【００７２】
フレキシブルなカバー２として、反射防止機能およびＵＶ吸収機能付きＰＥＴフィルムを用意し、灰色インクを印刷して図１０（ａ）に示す不透明領域２Ｄを形成した。不透明領域２Ｄは、額縁領域３Ｃと、配線領域３Ｄの一部を覆うように形成した。カバー２における表示部品３の表示エリア３Ａに接する部分２Ｃと、上端部２Ｅと下端部２Ｆは透明のままにした。次に、図１４（ｃ）のように、着色ＰＥＴ製の２つの補強部品５を、それぞれカバー２の上端部透明領域２Ｅ上及び下端部透明領域２Ｆ上に配置し、レーザ照射により溶着した。
【００７３】
次に、基体１の表面のフレキシブルな表示部品３を配置する部分の上下に、図９（ａ）のように両面テープを貼り付けて粘着層６を形成した。次に、図９（ｂ）のようにフレキシブルなカバー２の上端部を、基体１の上面部１Ｅにネジ留めして固定し、図９（ｃ）のように表示部品３を基体１とカバー２とで挟んだ後に、図９（ｄ）のようにフレキシブルなカバー２の下端部を基体１の底面部１Ｃに補強部材５を用いてネジ留めし、表示体４を得た。尚、使用した表示部品３は、表示エリア３Ａが横２９６ｍｍ×縦２０ｍｍ、左右の額縁領域３ＣＬ及び３ＣＲの幅が各２ｍｍ、表示部品３の横幅が３００ｍｍの電気泳動パネルであった。基体１とフレキシブルなカバー２の横幅は、表示部品３の横幅と同じ３００ｍｍとした。
【００７４】
こうして作製した３個の表示体４を、基体１の突起１Ａおよび１Ｂが棚板８の前面の上端及び下端に係合するように、まず突起１Ａを棚板８の前面の上端に掛け、次に突起１Ｂを棚板８の前面の下端に掛けて、図４のように取り付けた。そして、図２０に示す配線９Ａを介して３個の表示体４と駆動装置９とを接続した。駆動装置９を動作させて、３個の表示体４に係る３つの表示エリア３Ａを一体とした１枚の画像を表示することができた。
【実施例４】
【００７５】
フレキシブルな表示部品３Ｙの一部である、背面板３１と対向基板３３との間に表示媒体３２を挟んだ対向基板３３／表示媒体３２／背面板３１の積層体と、裏バリアフィルム３５と、積層体より大きな表バリアフィルムを兼ねるフレキシブルなカバー２Ｈであるバリア機能付きフィルムとを図１５（ａ）のように貼り合わせ、図１５（ｂ）のように上記積層体の側面部をエッジシール３６を用いてシールを行った。これにより、フレキシブルなカバー・表示部品一体構造７を得た。次に、接着剤を用いて、図１６（ａ）のように、フレキシブルなカバー・表示部品一体構造７の上端部を基体１の上面部１Ｅに接合した。次に、図１６（ｂ）のように、フレキシブルなカバー・表示部品一体構造７の下端部を、基体１の底面部１Ｃに補強部材５を用いてネジ留めし、表示体４を得た。尚、使用した表示部品３Ｙは、表示エリア３Ａが横２９６ｍｍ×縦２０ｍｍ、左右の額縁領域及びの幅が各２ｍｍ、表示部品３Ｙの横幅が３００ｍｍの電気泳動パネルであった。基体１とフレキシブルなカバー２Ｈの横幅は、使用する表示部品３の横幅と同じ３００ｍｍとした。
【００７６】
こうして作製した３個の表示体４を、基体１の突起１Ａおよび１Ｂが棚板８の前面の上端及び下端に係合するように、まず突起１Ａを棚板８の前面の上端に掛け、次に突起１Ｂを棚板８の前面の下端に掛けて、図４のように取り付けた。そして、図２０に示す配線９Ａを介して３個の表示体４と駆動装置９とを接続した。駆動装置９を動作させて、３個の表示体４に係る３つの表示エリア３Ａを一体とした１枚の画像を表示することができた。
【実施例５】
【００７７】
図１７に示す表示体４に似た構造の表示体４を作製した。図１７に示す表示体４は表示エリア３Ａが平面であるが、作製したのは表示エリア３Ａが凸面の表示体４である。使用した表示部品３は、表示エリア３Ａが横２９６ｍｍ×縦２０ｍｍ、左右の額縁領域３ＣＬ及び３ＣＲの幅が各２ｍｍ、表示部品３の横幅が３００ｍｍの電気泳動パネルであった。まず、基体１（着色ＰＥＴ製）を射出成型により作製した。次に、作製した基体１の上面部１Ｅに、フレキシブルなカバー２として透明なＰＥＴフィルムの上端部を図１４（ａ）のようにレーザ照射により溶着した。基体１とフレキシブルなカバー２の横幅は、使用する表示部品３の横幅と同じ３００ｍｍとした。また、基体１における、表示面に相当する部分の曲率半径を５０ｍｍとし、表示面から棚板の底面と平行な面に配線を曲げるための曲面の曲率半径を２ｍｍとした。尚、基体１として、フレキシブルな表示部品３を位置決めするための位置決め部１Ｄ（深さ０．５ｍｍ）を形成したものを用いた。次に、図１７のように基体１の位置決め部１Ｄに沿ってフレキシブルな表示部品３を組み付けるとともに、フレキシブルなカバー２を基体１に重ねて、図８（ｂ）と同様にフレキシブルなカバー２の下端部に補強部品５を重ねてネジ１０で基体１に固定し、表示体４を得た。
【００７８】
こうして作製した３個の表示体４を、基体１の突起１Ａおよび１Ｂが棚板８の前面の上端及び下端に係合するように、まず突起１Ａを棚板８の前面の上端に掛け、次に突起１Ｂを棚板８の前面の下端に掛けて、図４のように取り付けた。そして、図２０に示す配線９Ａを介して３個の表示体４と駆動装置９とを接続した。駆動装置９を動作させて、３個の表示体４に係る３つの表示エリア３Ａを一体とした１枚の画像を表示することができた。
【産業上の利用可能性】
【００７９】
本発明に係る表示体によれば、例えば、電子棚札として好適に利用できる。
【符号の説明】
【００８０】
１  ……  基体
１Ａ  ……  突起（上）
１Ｂ  ……  突起（下）
１Ｃ  ……  底面部
１Ｄ  ……  位置決め部
１Ｅ  ……  上面部
１Ｆ  ……  前面部
２  ……  カバー
２Ａ  ……  突起（上）
２Ｂ  ……  突起（下）
２Ｃ  ……  透明領域（表示エリア）
２Ｃ１  ……  透明領域（表示エリア）・反射防止機能付き
２Ｃ２  ……  透明領域（表示エリア）・ＵＶ吸収機能付き
２Ｄ  ……  不透明領域
２Ｅ  ……  透明領域（上部）
２Ｆ  ……  透明領域（下部）
２Ｇ  ……  位置決め部
２Ｈ  ……  表バリアフィルム兼カバー
３  ……  表示部品
３１  ……  背面板
３２  ……  表示媒体
３３  ……  対向基板
３４  ……  表バリアフィルム
３４Ｘ  …  表バリアフィルム（ＵＶ吸収なし）
３５  ……  裏バリアフィルム
３６  ……  エッジシール
３Ａ  ……  表示エリア
３Ｂ  ……  非表示エリア
３Ｃ  ……  額縁領域
３ＣＬ  ……  額縁（左）
３ＣＲ  ……  額縁（右）
３Ｄ  ……  配線領域
３Ｘ  …  表示部品（ＵＶ吸収なし）
３Ｙ  …  表示部品（表バリアなし）
４  ……  表示体
５  ……  補強部品
６  ……  両面テープまたは接着剤からなる粘着層
７  ……  フレキシブルなカバー・表示部品一体構造
８  ……  棚板
９  ……  駆動装置
９Ａ  ……  配線
１０  ……  カバーを基体に固定するネジ
１１  ……  基体を棚板に固定するネジ
１２  ……  レーザ光
２０  ……  従来の筐体を有する表示体
２０Ａ  ……  表示領域
２０Ｂ  ……  筐体
２０Ｃ  ……  非表示領域
２０ＣＬ  ……  額縁（左）
２０ＣＲ  ……  額縁（右）
４０  ……筐体
【図１】
2019162230.tif 000003
【図２】
2019162230.tif 000004
【図３】
2019162230.tif 000005
【図４】
2019162230.tif 000006
【図５】
2019162230.tif 000007
【図６】
2019162230.tif 000008
【図７】
2019162230.tif 000009
【図８】
2019162230.tif 000010
【図９】
2019162230.tif 000011
【図１０】
2019162230.tif 000012
【図１１】
2019162230.tif 000013
【図１２】
2019162230.tif 000014
【図１３】
2019162230.tif 000015
【図１４】
2019162230.tif 000016
【図１５】
2019162230.tif 000017
【図１６】
2019162230.tif 000018
【図１７】
2019162230.tif 000019
【図１８】
2019162230.tif 000020
【図１９】
2019162230.tif 000021
【図２０】
2019162230.tif 000022
【図２１】
2019162230.tif 000023